(57)【要約】      （修正有）【課題】インターネット上に存在する電子情報は、信頼性の問題を抱えながらもあらゆる分野に於いて蓄積した深層を成しており、これらの電子情報より必要となる情報を抽出し簡便に視聴できる環境・装置を提供する。【解決手段】インターネットを流通するテキスト情報及び静止画情報及び動画像・音声情報等を、特定の符号化方式による映像情報（動画及び音声情報）に変換し、放送波番組と同感覚でテレビ視聴を可能とする様に配信するインターネット情報映像化収集装置を構成する事により、誰もが簡便に電子情報を視聴する環境を提供する。【選択図】図１
2010283488.tif 000002
【特許請求の範囲】
【請求項１】
インターネットで流通する電子情報を検索する検索エンジンと、
収集した電子情報の索引情報より特定の順序で主要情報を選択し構造解析する解析手段と、
構造解析し抽出する情報を特定の映像音声符号化方式で圧縮し配信する手段で構成される装置であって、
インターネット上を流通する静止画情報及びテキスト情報及び、様々な符号化方式で混在する動画情報データと音声情報データ等の電子情報を、
テレビ視聴可能な特定の映像音声符号化方式により映像音声データに変換し配信する機能を備えることを特徴とするインターネット情報映像化収集装置。
【請求項２】
請求項１に記載のインターネット情報映像化収集装置に於いて、
特定のキーワードに関わる前記電子情報を、テレビ視聴可能な特定の映像音声符号化方式により映像音声データに変換し、
特定のキーワード毎に映像音声データを編成する事によって、
インターネット上で仮想的な放送番組（チャンネル）として配信する機能を備えることを特徴とするインターネット情報映像化収集装置。
【請求項３】
請求項１に記載のインターネット情報映像化収集装置に於いて、
前記特定のキーワードに関わるインターネット上の電子情報間で異なる記載がある場合、
検索から解析に至る過程で同一情報の出現頻度等を前提に情報の信頼性を判定し、
判定結果を映像中或いは別途データに付加して配信する機能を備えることを特徴とするインターネット情報映像化収集装置。
【発明の詳細な説明】
【技術分野】
【０００１】
本発明は、インターネットを流通する静止画及びテキストが大半を占める電子情報を、特定の符号化方式による映像情報（動画及び音声情報）に変換し、放送波番組と同感覚でテレビ視聴を可能とする様に配信するインターネット情報映像化収集装置に関する。
【背景技術】
【０００２】
インターネット上にはＨＴＭＬ（ＨｙｐｅｒＴｅｘｔ  Ｍａｒｋｕｐ  Ｌａｎｇｕａｇｅ）等のマークアップ言語でレイアウトされるテキスト情報、ＧＩＦ（Ｇｒａｐｈｉｃｓ  Ｉｎｔｅｒｃｈａｎｇｅ  Ｆｏｒｍａｔ）及びＪＰＥＧ（Ｊｏｉｎｔ  Ｐｈｏｔｏｇｒａｐｈｉｃ  Ｅｘｐｅｒｔｓ  Ｇｒｏｕｐ）等の静止画情報を主体とする電子情報や、アニメーション等に使われるインタラクティブ動画（Ｆｌａｓｈ等）情報や、高速大容量通信（ブロードバンドインターネット接続）環境に伴い普及が進むＭＰＥＧ１（ＩＳＯ／ＩＥＣ１１１７２）及びＭＰＥＧ２（ＩＳＯ／ＩＥＣ１３８１８）及びＭＰＥＧ４（ＩＳＯ／ＩＥＣ１４４９６）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等様々な符号化方式の動画情報と、ＭＰ３（ＭＰＥＧ  Ａｕｄｉｏ  Ｌａｙｅｒ−３）及びＡＡＣ（Ａｄｖａｎｃｅｄ  Ａｕｄｉｏ  Ｃｏｄｉｎｇ）等様々な符号化方式の音声情報で構成される電子情報が流通している。近年、インターネット上に存在するこれらの電子情報は、信頼性の問題を抱えながらもあらゆる分野に於いて蓄積した深層を成しており、ここより必要となる情報を抽出し簡便に視聴できる環境・装置が望まれる。
【０００３】
又、インターネットで流通するこれらの電子情報は、対応するファイルフォーマット及び符号化方式等を全てサポート可能な資源（物理的及びソフトウェア的）と、マウス及びキーボード等のインタラクティブなインターフェースを有する汎用的な端末で視聴する事を要求・想定するものであり、使用者に対しては合目的的に情報を探索精査する忍耐力を要求する環境と言える。
【先行技術文献】
【特許文献】
【０００４】
又、特許文献１では、マルチメディアサーバから配信される様々な符号化方式の動画像情報を、特定の符号化方式による動画像情報に変換し再配信する事により、変換された動画像情報を受信する視聴端末は、前記特定の符号化方式にのみ対応する画像再生ソフトウェアを備えるだけで良く、様々な方式に対応したソフトウェアを随時入手或いは更新し端末にインストールする負荷を回避する事ができると述べている。しかしながら、本方式はインターネット上に存在する大半の静止画及びテキスト情報を無視し、動画像を従来同様の汎用端末で受信する際に限って特定符号化方式変換を提案するものであり、インターネットの深層情報を誰もが簡便に視聴閲覧する装置とは言い難い。
【特許文献１】特開２００２−１１２２２０号広報
【発明の概要】
【発明が解決しようとする課題】
【０００５】
本発明は、インターネットを流通する静止画情報及びテキスト情報及び動画像情報及び音声情報等を、特定の符号化方式による映像情報（動画及び音声情報）に変換し、放送波番組と同感覚でテレビ視聴を可能とする様に配信するインターネット情報映像化収集装置を構成する事により、誰もが簡便に電子情報を視聴する環境を提供する事を目的とする。
【課題を解決するための手段】
【０００６】
請求項１のインターネット情報映像化収集装置は、インターネットで流通する電子情報を検索する検索エンジンと、収集した電子情報の索引情報より特定の順序で主要情報を選択し構造解析する解析手段と、構造解析し抽出する情報を特定の映像音声符号化方式で圧縮し配信する手段で構成される装置であって、インターネット上を流通する静止画情報及びテキスト情報及び、様々な符号化方式で混在する動画情報データと音声情報データ等の電子情報を、テレビ視聴可能な特定の映像音声符号化方式により映像音声データに変換し配信する機能を備えることを特徴とする。
【０００７】
請求項２のインターネット情報映像化収集装置は、請求項１に記載のインターネット情報映像化収集装置に於いて、特定のキーワードに関わる前記電子情報を、テレビ視聴可能な特定の映像音声符号化方式により映像音声データに変換し、特定のキーワード毎に映像音声データを編成する事によって、インターネット上で仮想的な放送番組（チャンネル）として配信する機能を備えることを特徴とする。
【０００８】
請求項３のインターネット情報映像化収集装置は、請求項１に記載のインターネット情報映像化収集装置に於いて、前記特定のキーワードに関わるインターネット上の電子情報間で異なる記載がある場合、検索から解析に至る過程で同一情報の出現頻度等を前提に情報の信頼性を判定し、判定結果を映像中或いは別途データに付加して配信する機能を備えることを特徴とする。
【発明の効果】
【０００９】
本発明のインターネット情報映像化収集装置は、インターネット上を流通するＨＴＭＬ（ＨｙｐｅｒＴｅｘｔ  Ｍａｒｋｕｐ  Ｌａｎｇｕａｇｅ）等のマークアップ言語でレイアウトされるテキスト情報や、ＧＩＦ（Ｇｒａｐｈｉｃｓ  Ｉｎｔｅｒｃｈａｎｇｅ  Ｆｏｒｍａｔ）及びＪＰＥＧ（Ｊｏｉｎｔ  Ｐｈｏｔｏｇｒａｐｈｉｃ  Ｅｘｐｅｒｔｓ  Ｇｒｏｕｐ）等の静止画情報を主体とする電子情報や、アニメーション等に使われるインタラクティブ動画（Ｆｌａｓｈ等）情報や、高速大容量通信（ブロードバンドインターネット接続）環境に伴い普及が進むＭＰＥＧ１（ＩＳＯ／ＩＥＣ１１１７２）及びＭＰＥＧ２（ＩＳＯ／ＩＥＣ１３８１８）及びＭＰＥＧ４（ＩＳＯ／ＩＥＣ１４４９６）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等様々な符号化方式の動画情報と、ＭＰ３（ＭＰＥＧ  Ａｕｄｉｏ  Ｌａｙｅｒ−３）及びＡＡＣ（Ａｄｖａｎｃｅｄ  Ａｕｄｉｏ  Ｃｏｄｉｎｇ）等様々な符号化方式の音声情報で構成される電子情報を特定のキーワードに基づき検索する検索エンジンと、これら収集した電子情報の索引情報より特定の順序で主要情報を選択し自動構造解析する解析手段と、構造解析し抽出するテキスト情報及び、様々な符号化方式で圧縮等されている静止画及び動画映像及び音声情報等を、テレビ等家電製品で視聴可能なＭＰＥＧ２（ＩＳＯ／ＩＥＣ１３８１８）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等符号化方式による動画データとＡＡＣ（Ａｄｖａｎｃｅｄ  Ａｕｄｉｏ  Ｃｏｄｉｎｇ）等符号化方式による音声データに変換し配信する機能を有する装置であって、使用者は端末より特定のキーワードを入力する事により、キーワードに関わる主要な電子情報を変換した映像・音声データをテレビ或いはＳＴＢ（Ｓｅｔ−Ｔｏｐ  Ｂｏｘ）等の端末で受信しローカルストレージに蓄積する場合、例えばリモコン等の再生・巻き戻し・早送り等の簡便な家電の操作手段により容易に視聴可能となる。インターネット上の電子情報を家電製品で視聴可能な映像情報に変換し配信する事で、あらゆる年代にとって簡便な操作手段を提供し、あらゆる場面に於いて受動的な媒体である家電製品（テレビ及びテレビとＳＴＢ等）を使って視聴する環境を提供する事により、テレビ放送の代替手段及び更に詳細な情報を獲得する手段として認知される可能性を持っている。
【００１０】
請求項２の発明によれば、インターネット上を流通する前記電子情報を、特定のキーワード及びその関連するキーワード又は、キーワードランキングに基づく一連のキーワード等により検索・収集し、ＭＰＥＧ２（ＩＳＯ／ＩＥＣ１３８１８）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等符号化方式による動画データとＡＡＣ（Ａｄｖａｎｃｅｄ  Ａｕｄｉｏ  Ｃｏｄｉｎｇ）等符号化方式による音声データに変換し、インターネット上で上記特定のキーワード毎に対応する仮想的な番組放送（チャンネル）の様に編成し配信する機能を備える事により、使用者はインターネット上の興味あるキーワードに関する情報をテレビ放送と同様に受動的な情報享受の姿勢でリラックスして視聴する事ができる。
【００１１】
請求項３の発明によれば、インターネット上を流通する上記電子情報を特定のキーワードに基づき検索し収集・構造解析し有用な情報を抽出する際に、特定のキーワードに関わる電子情報間で異なる記載がある場合、検索から情報抽出する段に同一となる情報の出現頻度等を用いて情報の信頼性を判定し、この信頼性に関わる判定結果を映像中或いは別途データに付加した変換映像・音声データを配信する機能を備える事により、視聴者に提供される情報の確度（信憑性）の判断基準を与える事が可能となる。インターネット上の電子情報は様々なキャリアや知識を有する人々の提供する情報で構成されており、又記載内容において出版物程の精査が成される期待も少ない事から、一部に於いて誤記及びデマの範囲を含む信頼性の低い情報が流通している可能性が高い。従って、これらの電子情報を映像化して配信する場合、視聴者に対して情報の信頼性に関する指標を提示する事が求められる。
【図面の簡単な説明】
【００１２】
【図１】インターネット情報映像化収集装置の構成を示す図
【図２】インターネット情報映像化収集装置の電子情報の映像化手段を示す図
【図３】インターネット情報映像化収集装置の仮想チャンネル及び信頼性判定を説明する図
【発明を実施するための形態】
【００１３】
以下、本発明の実施例を、図面を参照して説明する。
【実施例１】
【００１４】
図１は、本発明のインターネット情報映像化収集装置の構成を説明する図である。
【００１５】
図１の例に於いて、インターネット情報映像化収集装置は、インターネット（２）上に存在する電子情報（１ａ、１ｂ、１ｃ）であるＨＴＭＬ（ＨｙｐｅｒＴｅｘｔ  Ｍａｒｋｕｐ  Ｌａｎｇｕａｇｅ）等のマークアップ言語でレイアウトされるテキスト情報や、ＧＩＦ（Ｇｒａｐｈｉｃｓ  Ｉｎｔｅｒｃｈａｎｇｅ  Ｆｏｒｍａｔ）及びＪＰＥＧ（Ｊｏｉｎｔ  Ｐｈｏｔｏｇｒａｐｈｉｃ  Ｅｘｐｅｒｔｓ  Ｇｒｏｕｐ）等の静止画情報や、アニメーション等に使われるインタラクティブ動画（Ｆｌａｓｈ等）情報や、高速大容量通信（ブロードバンドインターネット接続）環境に伴い普及が進むＭＰＥＧ１（ＩＳＯ／ＩＥＣ１１１７２）及びＭＰＥＧ２（ＩＳＯ／ＩＥＣ１３８１８）及びＭＰＥＧ４（ＩＳＯ／ＩＥＣ１４４９６）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等様々な符号化方式の動画情報と、ＭＰ３（ＭＰＥＧ  Ａｕｄｉｏ  Ｌａｙｅｒ−３）及びＡＡＣ（Ａｄｖａｎｃｅｄ  Ａｕｄｉｏ  Ｃｏｄｉｎｇ）等様々な符号化方式の音声情報を、使用者の入力する特定のキーワードに基づき検索する検索エンジン（３）と、収集した上記電子情報の索引情報より特定の順序で主要情報を選択し自動構造解析する電子情報解析手段（４）と、構造解析し抽出するテキスト情報及び、様々な符号化方式で圧縮等されている静止画及び動画映像及び音声情報等を、テレビ等家電製品で視聴可能なＭＰＥＧ２（ＩＳＯ／ＩＥＣ１３８１８）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等符号化方式による動画データとＡＡＣ（Ａｄｖａｎｃｅｄ  Ａｕｄｉｏ  Ｃｏｄｉｎｇ）等符号化方式による音声データに変換する映像化手段（５）と、これらの映像化データをインターネット（２）で配信する配信手段（６）で構成される装置である。
様々なインターネット電子情報はインターネット情報映像化収集装置に於いて映像（動画及び音声）データに変換された後、テレビ或いはＳＴＢ（Ｓｅｔ−Ｔｏｐ  Ｂｏｘ）等の家電製品である端末（７）に於いて、受動的な視聴スタイルで情報を享受する事ができる。更に上記端末（７）に於いて、ストレージ手段（ハードディスク及びメモリ等）を有する場合、インターネットにより受信した上記変換された映像データはストレージ手段に一旦蓄積される事で、例えばリモコン等を操作して再生・巻き戻し・早送り等の簡便な家電の操作手段により容易に視聴可能となる。又、上記映像データは必然的に最も一般的で広範な符号化方式に変換される為、携帯電話及びＰＤＡ（Ｐｅｒｓｏｎａｌ  Ｄｉｇｉｔａｌ  Ａｓｓｉｓｔａｎｔ）等の携帯情報端末（８）や、ネットブック及びパーソナルコンピュータ等（９）に於いても視聴する事が可能となる。
【００１６】
図２は、本発明のインターネット情報映像化収集装置の電子情報の映像化手段を説明する図である。
【００１７】
図２の例に於いて、電子情報解析手段（４）で構造解析され抽出した情報を、映像化手段（５）でテレビ等家電製品で視聴可能なＭＰＥＧ２（ＩＳＯ／ＩＥＣ１３８１８）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等符号化方式による動画データとＡＡＣ（Ａｄｖａｎｃｅｄ  Ａｕｄｉｏ  Ｃｏｄｉｎｇ）等符号化方式による音声データで構成される映像（動画及び音声）データに変換し、配信手段（６）で変換された前記映像データをインターネットに配信する流れに於いて、変換映像化過程を説明する。
映像化手段（５）に入力する電子情報がテキスト情報のみの場合、ＣＧ・背景画像変換手段（１１）によりコンピュータグラフィックス（Ｃｏｍｐｕｔｅｒ  Ｇｒａｐｈｉｃｓ）でアナウンスする人間及びキャラクター等の画像を生成したり、キーワードに合致する背景画像を生成して特定の符号化方式の動画データに変換すると共に、テキスト情報を音声合成・変換手段（１２）により人工的な人間の音声情報に変換（Ｔｅｘｔ  Ｔｏ  Ｓｐｅｅｃｈ等）し、特定の符号化方式の音声データに変換する事により配信する映像（動画及び音声）データを作成する。
映像化手段（５）に入力する電子情報がＨＴＭＬ（ＨｙｐｅｒＴｅｘｔ  Ｍａｒｋｕｐ  Ｌａｎｇｕａｇｅ）等のマークアップ言語でレイアウト表現されるリスト及び表等の表現情報である場合、Ｗｅｂページ動画変換手段（１３）によりリスト及び表等のレイアウト画像を生成し特定の符号化方式の動画データに変換すると共に、付随するテキスト情報を音声合成・変換手段（１４）により人工的な人間の音声情報に変換（Ｔｅｘｔ  Ｔｏ  Ｓｐｅｅｃｈ等）し、特定の符号化方式の音声データに変換する事により配信する映像（動画及び音声）データを作成する。
映像化手段（５）に入力する電子情報がＦｌａｓｈ等のアニメーション等に使われるインタラクティブ動画である場合、インタラクティブ動画変換手段（１５）により特定の符号化方式の動画データに変換すると共に、付随するテキスト情報を音声合成・変換手段（１６）により人工的な人間の音声情報に変換（Ｔｅｘｔ  Ｔｏ  Ｓｐｅｅｃｈ等）し、特定の符号化方式の音声データに変換する事により配信する映像（動画及び音声）データを作成する。
映像化手段（５）に入力する電子情報がＧＩＦ（Ｇｒａｐｈｉｃｓ  Ｉｎｔｅｒｃｈａｎｇｅ  Ｆｏｒｍａｔ）及びＪＰＥＧ（Ｊｏｉｎｔ  Ｐｈｏｔｏｇｒａｐｈｉｃ  Ｅｘｐｅｒｔｓ  Ｇｒｏｕｐ）等の静止画情報である場合、圧縮静止画変換手段（１７）により特定の符号化方式の動画データに変換すると共に、付随するテキスト情報を音声合成・変換手段（１６）により人工的な人間の音声情報に変換（Ｔｅｘｔ  Ｔｏ  Ｓｐｅｅｃｈ等）し、特定の符号化方式の音声データに変換する事により配信する映像（動画及び音声）データを作成する。
映像化手段（５）に入力する電子情報がＭＰＥＧ１（ＩＳＯ／ＩＥＣ１１１７２）及びＭＰＥＧ２（ＩＳＯ／ＩＥＣ１３８１８）及びＭＰＥＧ４（ＩＳＯ／ＩＥＣ１４４９６）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等様々な符号化方式の動画情報及び、ＭＰ１（ＭＰＥＧ  Ａｕｄｉｏ  Ｌａｙｅｒ−１）及びＭＰ２（ＭＰＥＧ  Ａｕｄｉｏ  Ｌａｙｅｒ−２）及びＭＰ３（ＭＰＥＧ  Ａｕｄｉｏ  Ｌａｙｅｒ−３）及びＡＡＣ（Ａｄｖａｎｃｅｄ  Ａｕｄｉｏ  Ｃｏｄｉｎｇ）等様々な符号化方式の音声情報である場合、圧縮動画変換手段（１９）により特定の符号化方式の動画データに変換すると共に、圧縮音声変換手段（２０）により特定の符号化方式の音声データに変換する事により配信する映像（動画及び音声）データを作成する。
【００１８】
図３は、本発明のインターネット情報映像化収集装置の仮想チャンネル及び信頼性判定手段を説明する図である。
【００１９】
図３の例に於いて、本発明のインターネット情報映像化収集装置は、インターネット上を流通する前記電子情報を、特定のキーワード及びその関連するキーワード又、キーワードランキングに基づく一連のキーワード等により検索・収集（３及び４）し、ＭＰＥＧ２（ＩＳＯ／ＩＥＣ１３８１８）及びＨ．２６４／ＭＰＥＧ４  Ｐａｒｔ１０  Ａｄｖａｎｃｅｄ  Ｖｉｄｅｏ  Ｃｏｄｉｎｇ（ＩＳＯ／ＩＥＣ  １４４９６−１０）等符号化方式による動画データとＡＡＣ（Ａｄｖａｎｃｅｄ  Ａｕｄｉｏ  Ｃｏｄｉｎｇ）等符号化方式による音声データで構成される映像（動画及び音声）データに変換（５）し、仮想チャンネル手段（５０）で、上記特定のキーワード或いはキーワード集合毎に映像データを編成して、各々の特定のキーワード或いはキーワード集合に対応する映像データ毎にインターネット上で仮想的な番組放送（チャンネル）を構成し配信（６）する機能を有する。
使用者はインターネット上の興味あるキーワード或いはキーワード集合に関する情報を、前記映像データの形式で、テレビ放送を視聴するのと同様に、仮想チャンネル手段（５０）で構成される前記仮想的な番組（チャンネル）を切換えるだけで受動的視聴スタイルで享受する事ができる。
【００２０】
図３の例に於いて、本発明のインターネット情報映像化収集装置は、インターネット上を流通する上記電子情報を特定のキーワードに基づき検索し収集・構造解析（３及び４）し有用な情報を抽出する際に、特定のキーワードに関わる電子情報間で異なる記載がある場合、検索から情報抽出する段の信頼性判定手段（４０）に於いて同一となる情報の出現頻度等を用いて情報の信頼性を判定し、この信頼性に関わる判定結果を映像中或いは別途データに付加した変換映像データを生成（５）し、配信（６）する機能を備える事により、視聴者に提供される情報の確度（信憑性）の判断基準を与える事が可能となる。
【産業上の利用可能性】
【００２１】
本発明の実施例のインターネット情報映像化収集装置によれば、インターネットを流通する静止画情報及びテキスト情報及び動画像情報及び音声情報等を、テレビ等の家電製品で視聴可能な特定の符号化方式による映像情報（動画及び音声情報）に変換し、放送波番組と同感覚でテレビで視聴を可能とする様に配信するインターネット情報映像化収集装置を提供する。
【符号の説明】
【００２２】
１ａ、１ｂ、１ｃ    インターネット上の電子情報
２                  インターネット通信回線
３                  検索エンジン手段
４                  電子情報解析手段
５                  映像化手段
６                  配信手段
７                  テレビ及びセットトップボックス等の端末
８                  携帯情報端末等
９                  パーソナルコンピュータ等の端末
４０                信頼性判定手段
５０                仮想チャンネル手段
【図１】
2010283488.tif 000003
【図２】
2010283488.tif 000004
【図３】
2010283488.tif 000005